(57)【要約】【課題】直線偏波保持される波長帯が広く且つ製造が容易な単一偏波光ファイバを提供する。【解決手段】石英ガラス製の光ファイバ１のコア２は、六つの第一の細孔３ａにより取り囲まれている。そして、その取り囲み部分の外側に、コアを挟んで相対する二つの部分にそれぞれ三つの第二の細孔３ｂが配置されている。第一の細孔３ａにより一重に囲まれた上下方向と細孔３ａ，３ｂにより二重に囲まれた左右方向とでは、伝搬する光が外部への漏れだしてしまい出力されない波長領域が異なるため、この光ファイバ１は単一偏波光ファイバとして機能する。【選択図】図１
2004053624.tif 000002
【特許請求の範囲】
【請求項１】
コアの周囲に、光ファイバ軸方向に延びる複数の細孔が設けられた単一偏波光ファイバであって、
上記細孔は、上記コアを少なくとも一重に取り囲む第一の細孔と、該第一の細孔に対し光ファイバ径方向外側に隣接し且つ上記コアを挟んで相対する二つの部分にそれぞれ少なくとも一つずつ設けられた第二の細孔とで構成されていることを特徴とする単一偏波光ファイバ。
【請求項２】
請求項１において、
材質が石英ガラスであり、上記第一の細孔によるコアの取り囲みが一重であることを特徴とする単一偏波光ファイバ。
【発明の詳細な説明】
【０００１】
【発明の属する技術分野】
本発明は、コアの周囲に、光ファイバ軸方向に延びる複数の細孔が設けられた単一偏波光ファイバに関する。
【０００２】
【従来の技術】
偏光や干渉を利用した光ファイバセンサやコヒーレント光ファイバ通信等には、偏波安定性が高い偏波保持ファイバを使用している。偏波には直線偏波と円偏波とがあるが、光ファイバに通常用いられるのは直線偏波である。
【０００３】
このような直線偏波保持光ファイバは、単一偏波光ファイバと複屈折光ファイバとの二つに分類される。単一偏波光ファイバは、基本モードの二つの直交する偏波モードのうち一方の偏波モードのみを伝搬可能な領域を有する光ファイバである。即ち、一方の偏波モードの伝送損失のみを非常に大きくして、他方の偏波モードのみを伝搬させる光ファイバである。また、複屈折光ファイバは、直交する二つの偏波モード間の伝搬定数差を大きくして、一方の偏波モードの偏波保持能力を高めた光ファイバである。
【０００４】
上記の二種類の光ファイバの特徴を比較してみると、複屈折光ファイバでは、直交する二方向の二つの偏波モードが伝搬するため、これらのモード間のランダム結合が発生し、偏波クロストークが伝搬距離とともに劣化するのに対し、単一偏波光ファイバでは、伝搬距離が長くなっても偏波クロストークが劣化することはない。また、複屈折光ファイバ同士を接続したときに、接続部で両者の偏波面がずれていると、偏波面が回転し始めるため、偏波クロストークは劣化するが、単一偏波光ファイバ同士を接続したときには、接続部で両者の偏波面がずれていても偏波クロストークは劣化しない。このように複屈折光ファイバよりも単一偏波光ファイバの方が、偏波クロストークでの評価において優れた特性を有している。
【０００５】
現在実用化されている直線偏波保持光ファイバとしてはＰＡＮＤＡファイバや楕円ジャケットファイバなどがあるが、これらは全て複屈折光ファイバである。単一偏波光ファイバとしては、サイドピットファイバとサイドトンネルファイバとが知られている程度である。
【０００６】
また、光ファイバを用いた偏光子として、複屈折光ファイバをコイル状としたコイル形光ファイバ偏光子や、コア近傍に金属を装荷した装荷形光ファイバ偏光子があるが、これらも単一偏波光ファイバとしての機能を有する。
【０００７】
【発明が解決しようとする課題】
しかしながら、単一偏波光ファイバとして知られているサイドピットファイバやサイドトンネルファイバは、片方の偏波のみが伝搬可能という領域では、伝搬するモードの遮断状態に近いため曲げ損失が大きいという理由から、単一偏波光ファイバとして利用できる波長帯が狭く、実用化に至っていない。また、コイル形光ファイバ偏光子はコイル状態を保持しなくては偏光子として機能せず、装荷形光ファイバ偏光子は製造するのが非常に困難であるので、これらは伝送ファイバとして用いることに適さない。
【０００８】
本発明はこのような事情に鑑みてなされたものであり、その目的とするところは、直線偏波保持される波長帯が広く且つ製造が容易な単一偏波光ファイバを提供することにある。
【０００９】
【課題を解決するための手段】
上記の目的を達成するために、請求項１の発明は、コアの周囲に、光ファイバ軸方向に延びる複数の細孔が設けられた単一偏波光ファイバを対象とする。
【００１０】
そして、上記細孔は、上記コアを少なくとも一重に取り囲む第一の細孔と、該第一の細孔に対し光ファイバ径方向外側に隣接し且つ上記コアを挟んで相対する二つの部分にそれぞれ少なくとも一つずつ設けられた第二の細孔とで構成されているものとする。
【００１１】
請求項１の発明によると、コアの周囲の細孔の配置において、ファイバ横断面における直交する二方向では、コアから見て径方向に並ぶ細孔の数が異なっている。別の表現では、細孔が一列に並んでコアを一重に取り囲んでいるものを細孔による一層の取り囲みとすると、コアを複数層の細孔が囲んでいて、内側の少なくとも一層はコアの全周を囲んでおり、その外側の残りの層はコアの全周に渡って存しているのではなく、コアを挟んだ相対する二箇所にのみ存する配置であると言える。このように、ファイバ横断面における直交する二方向では、コアから見て径方向に並ぶ細孔の数が異なっているので、上記直交する二方向では各偏波モードの除去される長波長領域が異なるということである。このことを以下に説明する。
【００１２】
細孔に取り囲まれたコアの中を伝搬する光は、細孔に取り囲まれていてもその長波長側の成分が外部に漏れだしていき、短波長成分のみが出力される。いわば、コアを取り囲む細孔は、短波長側のみを通過させるフィルターの役割をするのであるが、除去される長波長領域は、細孔がコアを幾重に取り囲むかという細孔の取り囲み層数によって決まる。図１２はコアが細孔に取り囲まれた光ファイバの波長−損失特性であり、取り囲みが一重のものがＡ、二重のものがＢ、三重のものがＣで表される特性を有する。このグラフに示すように、除去される長波長領域の最短波長側の境界は、層数が増加するほど長波長の方にシフトしていく。石英光ファイバにおいては、取り囲み層数が五重以上であれば実質的にコア外部への光の漏れだしはなくなり、全ての波長領域の光が出力されるが、四重以下では、一部長波長側の光が除去される。
【００１３】
このため、直交する二方向の各偏波モードにおいて、それぞれの除去される長波長領域のうち、二つの領域が重なっておらず一方のみが存する領域内では、ある偏波モードでは光が伝搬するがそれと直交する偏波モードでは光は伝搬しないことになり、従ってこの発明に係る光ファイバは単一偏波光ファイバとして機能することになる。このように、この発明に係る光ファイバは単一偏波光ファイバとして機能するので、光が伝搬する距離が長くなっても、それに伴う偏波クロストークの劣化は生じない。
【００１４】
ここで、細孔がコアを取り囲むというのは、コアの周囲全てに細孔が配置されていることである。細孔によるコアの取り囲みが四重以下であると、光の波長領域で単一偏波光ファイバとして確実に機能するため好ましく、取り囲みが二重以下であると光通信に用いられる波長領域で単一偏波光ファイバとして確実に機能するためさらに好ましい。コアに隣接する細孔の数、即ちコアを取り囲む最も内側の細孔の並びを構成する細孔の数は、３以上が好ましく、４以上であれば偏波保持機能が向上するためより好ましい。
【００１５】
また、光ファイバの構成材料としては、様々な種類のガラスや使用波長領域で透明なプラスチックなどが挙げられる。
【００１６】
次に、請求項２の発明は、請求項１において、材質が石英ガラスであり、上記第一の細孔によるコアの取り囲みが一重であるものである。
【００１７】
請求項２の発明によると、材質が石英ガラスであるため、安価に且つ他の石英ガラス光ファイバと容易に融着接続することができる。また、コアを取り囲む第一の細孔が一重であるので、製造が容易で製造コストを低くできる。
【００１８】
【発明の実施の形態】
以下、本発明の実施の形態を図面に基づいて説明する。
【００１９】
−第一の実施の形態−
図１は、第一の実施の形態に係る光ファイバ１の横断面のコア２近辺の図である。この光ファイバ１は石英ガラス製で、コア２も石英ガラスであり、このコア２の周囲を六個の第一の細孔３ａが一重に取り囲んでおり、これらの第一の細孔３ａが六角形を形成している。これらの第一の細孔３ａに対し光ファイバ１径方向外側に隣接し且つコア２を挟んで相対する二つの部分に、それぞれ三個の第二の細孔３ｂが上記六角形の中心を挟んで相対する二つの頂点をそれぞれ笠が覆うように、頂角１２０度の二等辺三角形を形成して配置されている。これらそれぞれ三個の第二の細孔３ｂは、上記第一の細孔３ａによる六角形の取り囲み部分の外周の一部を囲むように配置されており、いわば、コア２を取り囲む第二の細孔３ｂの二重目の一部を左右に配置し残りの第二の細孔３ｂは除いている形になっている。十二個の細孔３ａ，３ｂは全て略同じ径である。
【００２０】
上記光ファイバ１内を伝搬する光の各波長に対する損失特性を図１２に示す。図１の上下方向に振動する偏波面を有する偏波モードは、第一の細孔３ａの一重のみの取り囲みによりコア２内に封じ込められるようになっているので、図１２のグラフのＡの曲線であらわされる損失特性を有する。一方、図１の左右方向に振動する偏波面を有する偏波モードは、細孔３ａ，３ｂの二重の取り囲みによりコア２内に封じ込められるようになっているので、図１２のグラフのＢの曲線であらわされる損失特性を有する。従って、波長がＬ１〜Ｌ２の範囲においては、左右方向に振動する偏波モードのみが上記光ファイバ１中を伝搬し、単一偏波光ファイバとして機能する。Ｌ１及びＬ２の値は、細孔３ａ，３ｂの径及び隣接する細孔３ａ，３ｂ間の距離によって若干異なるが、Ｌ１は６５０〜８００ｎｍであり、Ｌ２は２０００ｎｍ以上である。ここで、この損失特性はコア２の周りの細孔３ａ，３ｂの分布によるものであるため、光ファイバ１に曲げ応力を印加しても、損失特性は変化せず、単一偏波光ファイバとして機能する波長領域及び特性は変わらない。
【００２１】
次に、上記光ファイバ１の製造方法について説明する。
【００２２】
まず、母材と呼ばれる径が数〜数十ｃｍの石英ガラスの円柱を用意する。母材は、ＶＡＤ法、ＯＶＤ法、ＭＣＶＤ法等どのような製法で作製しても構わない。それから、母材の横断面の中心近傍に軸方向にドリル等で十二個の孔を開ける。孔の配置は、図１と同じである。それから、このように孔を開けた母材を炉で加熱し溶融させながら延伸する、いわゆる線引きと呼ばれる工程を行い、表面を保護用の樹脂で被覆して光ファイバ１が出来上がる。ここで、線引き時に細孔３ａ，３ｂが潰れてしまわないように、母材の孔の上下端を封止しておくことが好ましい。また、水酸基を除去するために、孔を開けた母材を塩素ガス等で予め処理することが好ましい。
【００２３】
本実施形態の光ファイバ１を偏光子として用いると、入力及び出力側の光ファイバと融着により容易に接続できる。従来の偏光膜などのバルク形の偏光子を用いると、入力及び出力側の光ファイバとの間にコリメータレンズを入れる必要があるが、この場合光軸調整が難しく、振動に弱いが、本実施形態の光ファイバ１にはこれらの短所がない。
【００２４】
これまで説明したように、本実施形態の光ファイバ１は、簡単な構造であり、広い波長領域において単一偏波光ファイバとしての機能を発揮させることができるとともに、コア２への光の閉じ込めが強く外部応力による伝搬モードの偏波回転もしくは放射モードへの変換が生じにくいため、光ファイバ１に曲げ応力を印加しても該機能に変化はなく安定している。そして、材質が石英ガラスであるので、通常の石英ガラス製光ファイバと容易に接続できる。また、偏光子として用いると、光軸調整不要で振動に強い。さらに、製造方法も簡単であるので、安価に製造することができる。
【００２５】
−第二の実施の形態−
図２は、第二の実施の形態に係る光ファイバ１の横断面のコア２近辺の図である。本実施形態は、第一の実施の形態の各三つの第二の細孔３ｂの外側にこれらと同じ形状に、さらにそれぞれ三つの第二の細孔３ｃを配置した構造をしている。即ち、図の上下方向においてはコア２を第一の細孔３ａが一重に囲み、左右方向においてはコア２を細孔３ａ，３ｂ，３ｃが三重に囲む形になっている。さらに別の言い方をすると、コア２から上下方向を見ると第一の細孔３ａにより一重に囲まれていて、左右方向を見ると細孔３ａ，３ｂ，３ｃにより三重に囲まれているということである。本実施形態では、図の左右方向に振動する偏波面を有する偏波モードは、三重の細孔３ａ，３ｂ，３ｃによりコア２内に封じ込められるようになっているので、図１２のグラフのＣの曲線であらわされる損失特性を有する。従って、波長がＬ１〜Ｌ４の範囲においては、左右方向に振動する偏波モードのみが上記光ファイバ１中を伝搬し、単一偏波光ファイバとして機能する。また、製造方法は第一の実施形態と同じである。
【００２６】
これまで説明したように、本実施形態の光ファイバ１は、第一の実施形態の効果に加えて、第一の実施形態よりも広い波長領域で単一偏波光ファイバとしての機能を発揮させることができるとともに、細孔３ａ，３ｂ，３ｃの配置の左右と上下の長さの比が、第一の実施形態よりも大きいので、光ファイバ１の側面から観察したときに、偏波面の方向が判別しやすい。
【００２７】
−第三の実施の形態−
図３は、第三の実施の形態に係る光ファイバ１の横断面のコア２近辺の図である。本実施形態は、第一の実施の形態の第一の細孔３ａの光ファイバ１径方向外側左右に配置した各三つの第二の細孔３ｂのうち各真ん中の一つだけを残した形状のものである。つまり、第一の細孔３ａにより形成された六角形の、コア２を挟んで相対する二つの頂点の外側に各第二の細孔３ｂが一つずつ配置され、該二つの頂点と各第二の細孔３ｂとが一直線上にある配置となっている。本実施形態の光ファイバ１の機能は第一の実施形態と同等であり、製造方法も同じである。また、効果としては、第一の実施の形態の効果に加えて、第一の実施の形態よりも細孔３ａ，３ｂの数が少ないので、母材への孔開け加工の工数が削減されより安価に製造できるとともに、細孔３ａ，３ｂ数が少ないので第一の実施の形態よりも光ファイバ１の機械的強度が向上し、信頼性が増す。
【００２８】
−第四の実施の形態−
図４は、第四の実施の形態に係る光ファイバ１の横断面のコア２近辺の図である。本実施形態は、コア２を一重に取り囲む第一の細孔３ａが形成する六角形の、コア２を挟んで相対する二つの頂点の外側にそれぞれ二つの第二の細孔３ｂ，３ｃが、該二つの頂点も含めて一直線上に並ぶように配置されている。いわば、六角形を串刺ししたような形となっている。本実施形態は、第三の実施形態よりも外側に第二の細孔３ｃがそれぞれ一つずつ多く配置されているので、機能は第二の実施形態と同等であり、効果は第三の実施形態と同じである。また、製造方法は第一の実施形態と同じである。
【００２９】
−第五の実施の形態−
図５は、第五の実施の形態に係る光ファイバ１の横断面のコア２近辺の図である。本実施形態では、コア２を一重に取り囲む第一の細孔３ａが形成する六角形の相対向する二辺の外側にそれぞれ一つずつの第二の細孔３ｂが配置されている。これら各第二の細孔３ｂは、隣接する各二つの第一の細孔３ａとともに正三角形をそれぞれ形成している。本実施形態の光ファイバ１の機能は、第一の実施形態と同じであり、製造方法も第一の実施形態と同じである。また、効果は第三の実施形態と同じである。
【００３０】
−第六の実施の形態−
図６は、第六の実施の形態に係る光ファイバ１の横断面のコア２近辺の図である。本実施形態では、第五の実施形態の各第二の細孔３ｂのさらに外側にそれぞれ一つの第二の細孔３ｃを、四つの第二の細孔３ｂ，３ｃが一直線上になるように配置している。本実施形態の光ファイバ１の機能は、第二の実施形態と同じであり、製造方法は第一の実施形態と同じである。また、効果は第四の実施形態と同じである。
【００３１】
−第七の実施の形態−
図７は、第七の実施の形態に係る光ファイバ１の横断面のコア２近辺の図である。本実施形態では、コア２を六つの第一の細孔３ａが一重に六角形状に取り囲み、さらにその外側を十二の第二の細孔３ａが一重に六角形状に取り囲んでいる。即ち、第一の細孔３ａが二重にコア２を取り囲んでいる形となっている。この外側の六角形のコア２を挟んで相対する二つの頂点の外側に該頂点を覆うようにそれぞれ三つの第二の細孔３ｃが配置されている。これら三つの第二の細孔３ｃは、頂角１２０度の二等辺三角形を形成して、上記六角形の頂点に笠のように被さっている。
【００３２】
本実施形態では、図の上下方向に振動する偏波面を有する偏光は、二重に配置された第一の細孔３ａによりコア２内に封じ込められるようになっているので、図１２のグラフのＢの曲線であらわされる損失特性を呈する。一方、図７の左右方向に振動する偏波面を有する偏波モードは、三重の細孔３ａ，３ｃによりコア２内に封じ込められるようになっているので、図１２のグラフのＣの曲線であらわされる損失特性を呈する。従って本実施形態の光ファイバ１は、波長がＬ３〜Ｌ４の範囲においては、左右方向に振動する偏波モードのみが上記光ファイバ１中を伝搬し、単一偏波光ファイバとして機能する。
【００３３】
本実施形態の光ファイバ１は、第一の実施形態と同じ製造方法で作製され、第一の実施形態よりも長波長側で単一偏波光ファイバとして機能する。本実施形態の光ファイバ１の効果は、第一の実施形態と同じである。
【００３４】
−第八の実施の形態−
図８は、第八の実施の形態に係る光ファイバ１の横断面のコア２近辺の図である。本実施形態では、コア２を四つの第一の細孔３ａが一重に正方形に取り囲み、該正方形の相対向する二辺の外側に隣接してそれぞれ第二の細孔３ｂが一つずつ、該辺に関してコア２と対称の位置に配置されている。本実施形態の光ファイバ１の機能は第一の実施形態と同等である。製造方法も同じである。また、効果としては、第一の実施の形態よりも細孔３ａ，３ｂの数が少ないので、母材への孔開け加工の工数が削減されより安価に製造できるとともに、細孔３ａ，３ｂ数が少ないので第一の実施の形態よりも光ファイバ１の機械的強度が向上し、信頼性が増す。
【００３５】
−第九の実施の形態−
図９は、第九の実施の形態に係る光ファイバ１の横断面のコア２近辺の図である。本実施形態では、コア２を八つの第一の細孔３ａが一重に正方形に取り囲み、一辺が三つの第一の細孔３ａで形成された該正方形の相対向する二辺の外側に、これらと平行に隣接して、各三つずつ第二の細孔３ｂが配置されている。本実施形態の光ファイバ１は、製造方法が第一の実施形態と同じであり、機能や効果も第一の実施形態と同じである。
【００３６】
−第十の実施の形態−
図１０は、第十の実施の形態に係る光ファイバ１の横断面のコア２近辺の図である。本実施形態では、第一の実施形態のコア２を取り囲む六つの第一の細孔３ａのうち、その外側に配置された二重目の各三つの第二の細孔３ｂにより覆われる形となっている二つの第一の細孔６が、他の細孔３ａ，３ｂよりも径が大きい。このような構成とすることにより、モード複屈折率が大きくなり、複屈折光ファイバとしても機能するようになる。ここで、モード複屈折率とは、偏波面が光ファイバ横断面における直交する二つの偏波モードの伝搬定数の差のことである。製造方法、他の機能及び効果は、第一の実施形態と同じである。
【００３７】
−その他の実施の形態−
本発明は、上記の実施形態に限定されない。即ち、細孔３ａ，３ｂ，３ｃの径は、全て同じであってもよいし、異なっていてもよい。また、細孔３ａ，３ｂ，３ｃ，６の断面形状は円形に限られず、多角形や楕円形などでもよい。細孔３ａ，３ｂ，３ｃ，６の配置も上記のものに限定されず、例えば、コア２を八つの第一の細孔３ａで八角形に取り囲んでもよいし、コア２を三重以上に取り囲んでもよいし、コア２全周を取り囲んだ部分の外側であってコア２を挟んで相対する二つの部分に四つ以上の第二の細孔３ｂ，３ｃを配置しても構わないし、その配置も直線状でも扇形でもどのようなものでも構わないし、径方向に三つ以上並ぶようにしてもよい。コア２は、他の部分と材質を変えても構わない。例えば、コア２の部分にのみＢやＦ等を石英ガラスにドープしても構わない。また、コア２部分を空孔としても構わないし、コア２の一部に空孔を配置してもよい。光ファイバ１の材質は、石英ガラスにＧｅ、ＢやＦ等をドープしても構わないし、石英以外のガラスであっても構わない。また、プラスチックでもよい。細孔３ａ，３ｂ，３ｃ，６部分に地の材質とは異なる別の材質のガラス等を充填しても構わない。
【００３８】
光ファイバ１の製造方法も母材に孔を開ける方法に限られず、例えば、石英の棒（ロッド）と石英の円筒（キャピラリー）とを束ねて母材としてもよい。このときには、大径の石英の円筒の中にロッドとキャピラリーとを詰め込んで母材としてもよい。
【００３９】
【実施例】
ＶＡＤ法により径８０ｍｍの石英ガラスの母材を作製した。この母材の軸方向に第一の実施形態に示す配置で１２個の孔をドリルを用いて開けた。この母材の上下端を封じてから線引きし外面被覆をして、第一の実施形態に示す構成の径１２５μｍの単一偏波光ファイバを得た。このとき細孔の径は２．６μｍであり、隣り合う細孔間距離は３．０μｍであった。
【００４０】
この単一偏波光ファイバを用いて、図１１に示す測定装置１０で偏波保持特性を測定した。この測定装置１０では、半導体レーザーを用いた光源１２から出た波長１．５５μｍの光が、伝送用光ファイバ１３を通って偏光子回転モジュール１４に入り、任意の直線偏波面を有する偏光のみが通過し、この偏光が長さ１００ｍの単一偏波光ファイバ１１を通過して偏波消光比測定器１５で消光比を測定されるという構成である。ここで、消光比の＋／−の符号を変えたものが偏波クロストークであり、一方向（Ｘ方向とする）の偏波のみが伝搬する単一偏波保持ファイバの場合、偏波クロストークＣＴは、直交する二つの偏波モードの出力Ｐｘ、Ｐｙを用いて、次式のように表される。ここで、ＰｘはＸ方向の出力、ＰｙはＸ方向に直交するＹ方向の出力である。
【数１】ＣＴ＝１０ｌｏｇ１０（Ｐｙ／Ｐｘ）
偏波クロストークＣＴの値が小さいほど単一偏波保持の機能が優れている。
【００４１】
Ｘ偏波を入力して測定した場合、偏波クロストークＣＴは−４０ｄＢよりも小さくなり、サイドピットファイバとほぼ同様のレベルの優れた結果であった。また、任意の偏光入力に対してもＸ偏波のみが伝搬して、その偏波クロストークは−４０ｄＢよりも小さかった。なお、ＰＡＮＤＡファイバでは、偏波クロストークは−３３ｄＢであった。また、単一偏波光ファイバとして機能する波長領域は、６５０〜３０００ｎｍであって、本実施例の単一偏波光ファイバを光通信等に良好に使用することができた。
【００４２】
【発明の効果】
本発明は、以上説明したような形態で実施され、以下に述べる効果を奏する。
【００４３】
複数の細孔がコアを取り囲み、さらにそれに外接し且つコアを挟んで相対する二つの部分にそれぞれ細孔を配置している単一偏波光ファイバであるので、単一偏波光ファイバとして広い波長領域で用いることができ、構造が簡単であるので製造が容易である。また、曲げ応力がかかっても偏波保持特性が変化しない。
【００４４】
さらに、材質が石英ガラスであり、コアを細孔が一重に取り囲んでいる単一偏波光ファイバであれば、製造が容易であり、製造コストを低くできるとともに、他の石英ガラス製光ファイバとの接続が容易にできる。
【図面の簡単な説明】
【図１】第一の実施の形態にかかる光ファイバの横断面図である。
【図２】第二の実施の形態にかかる光ファイバの横断面図である。
【図３】第三の実施の形態にかかる光ファイバの横断面図である。
【図４】第四の実施の形態にかかる光ファイバの横断面図である。
【図５】第五の実施の形態にかかる光ファイバの横断面図である。
【図６】第六の実施の形態にかかる光ファイバの横断面図である。
【図７】第七の実施の形態にかかる光ファイバの横断面図である。
【図８】第八の実施の形態にかかる光ファイバの横断面図である。
【図９】第九の実施の形態にかかる光ファイバの横断面図である。
【図１０】第十の実施の形態にかかる光ファイバの横断面図である。
【図１１】偏波保持特性の測定装置の構成を示すブロック図である。
【図１２】コアの周囲に細孔を有する光ファイバの波長−損失特性を示す図である。
【符号の説明】
１　　　　　　光ファイバ
２　　　　　　コア
３ａ，６　　　第一の細孔
３ｂ，３ｃ　　第二の細孔
１１　　　　　単一偏波光ファイバ
【図１】
2004053624.tif 000003
【図２】
2004053624.tif 000004
【図３】
2004053624.tif 000005
【図４】
2004053624.tif 000006
【図５】
2004053624.tif 000007
【図６】
2004053624.tif 000008
【図７】
2004053624.tif 000009
【図８】
2004053624.tif 000010
【図９】
2004053624.tif 000011
【図１０】
2004053624.tif 000012
【図１１】
2004053624.tif 000013
【図１２】
2004053624.tif 000014